(57)【要約】【課題】画像送信時に操作者が偽りの送信者情報を設定することを不可能にした画像送信装置を提供する。【解決手段】予め複数の操作者の認証情報と送信者情報とを外部記憶装置１０５に操作者ごとに格納しておき、中央処理装置１０１が、送信すべき画像データを指定する操作者によって入力された少なくともパスワードを、外部記憶装置１０５に格納された認証情報と照合して前記操作者の認証を行う。前記操作者が認証されたとき、外部記憶装置１０５から前記操作者に対応する送信者情報を読み出して、前記操作者によって指定された画像データを、送信者情報を用いて電子メールで送信する。【選択図】      図１
2004336562.tif 000002
【特許請求の範囲】
【請求項１】
操作者に指定された画像データを外部へ送信する画像送信装置において、
予め複数の操作者の認証情報と送信者情報とを記憶装置に操作者ごとに格納する格納手段と、
送信すべき画像データを指定する操作者によって入力された少なくともパスワードを、前記記憶装置に格納された認証情報と照合して前記操作者の認証を行う認証手段と、
前記認証手段によって前記操作者が認証されたとき、前記記憶装置から前記操作者に対応する送信者情報を読み出して、前記操作者によって指定された画像データを、前記送信者情報を用いて電子メールで送信する送信手段と
を有することを特徴とする画像送信装置。
【発明の詳細な説明】
【０００１】
【発明の属する技術分野】
本発明は、画像送信装置に関し、特に、操作者に指定された画像データを外部へ送信する画像送信装置に関する。
【０００２】
上記画像送信装置は、例えば複写機、ファクシミリ装置、スキャナなどの事務機に搭載することができる。
【０００３】
【従来の技術】
従来、画像を読み取り送信する装置、あるいは蓄積された画像を送信する装置において、認証手順により操作者を認証し、認証された操作者だけに操作を許可する機能が実用に供されていた（例えば、特許文献１参照）。
こうした装置では、認証手順により操作者を認証しても、画像の送信時に必要となる送信者情報の設定は操作者自身が行うことが一般的であった。
【０００４】
なお、認証手順により操作者を認証したとき、認証された操作者に対応する送信者情報をユーザ管理システムから取得し、この送信者情報を画像送信時に使用する装置も実用に供されているが、この装置においても送信者情報を正しく取得できない場合は、操作者自身が送信者情報を設定するようにしていた。
【０００５】
【特許文献１】
特開昭５５−１１５１５７号公報
【０００６】
【発明が解決しようとする課題】
しかしながら、上記の従来装置において、操作者自身が送信者情報の設定を行って画像送信を行う場合に、操作者が偽りの送信者情報を設定することがあり得、セキュリティ上の問題点があった。
【０００７】
本発明はこのような問題点に鑑みてなされたものであって、画像送信時に操作者が偽りの送信者情報を設定することを不可能にした画像送信装置を提供することを目的とする。
【０００８】
【課題を解決するための手段】
上記目的を達成するために、本発明によれば、操作者に指定された画像データを外部へ送信する画像送信装置において、予め複数の操作者の認証情報と送信者情報とを記憶装置に操作者ごとに格納する格納手段と、送信すべき画像データを指定する操作者によって入力された少なくともパスワードを、前記記憶装置に格納された認証情報と照合して前記操作者の認証を行う認証手段と、前記認証手段によって前記操作者が認証されたとき、前記記憶装置から前記操作者に対応する送信者情報を読み出して、前記操作者によって指定された画像データを、前記送信者情報を用いて電子メールで送信する送信手段とを有することを特徴とする画像送信装置が提供される。
【０００９】
【発明の実施の形態】
以下、本発明の実施の形態を、図面を参照して説明する。
【００１０】
［第１の実施の形態］
図１は、本発明に係る画像送信装置の第１の実施の形態の構成を示すブロック図である。この画像送信装置は、画像読み取りと画像記憶と画像形成（印刷）と画像送信の機能を備える。
【００１１】
図中、画像送信装置１は、中央処理装置１０１、主記憶装置１０２、表示装置１０３、入力装置１０４、外部記憶装置１０５、印刷装置１０６、画像読み取り装置１０７、ネットワーク装置１０８からその主要部を構成される。中央処理装置１０１は、主記憶装置１０２、表示装置１０３、入力装置１０４、外部記憶装置１０５、印刷装置１０６、画像読み取り装置１０７、ネットワーク装置１０８を制御し、また四則演算、論理演算を受け持っている。主記憶装置１０２は、中央処理装置１０１が情報処理を行なう上で必要な情報を記憶し、中央処理装置１０１はこれを必要に応じて取り出すことができる。
【００１２】
表示装置１０３はタッチパネルディスプレイで構成され、中央処理装置１０１によって処理された結果得られる図形や文字等を表示する。入力装置１０４はキーボードやタッチパネル等で構成され、中央処理装置１０１への種々の入力に使用されるものである。外部記憶装置１０５は磁気記憶装置や光磁気記憶装置等で構成され、各種情報を記憶するものであり、画像読み取り装置１０７によって読み取った画像データを保存することができる。
【００１３】
画像送信装置１はネットワーク装置１０８を介してネットワーク２に接続され、画像読み取り装置１０７が読み取った画像データに対して中央処理装置１０１が読み取り処理を行った後即座に、または一旦外部記憶装置１０５に蓄積したのちに、電子メール送信やＦＴＰ（Ｆｉｌｅ  Ｔｒａｎｓｆｅｒ  Ｐｒｏｔｏｃｏｌ）送信によって、ネットワーク２に接続された他のホストコンピュータに送信することができる。ネットワーク２は、Ｅｔｈｅｒｎｅｔ（登録商標）、ＵＳＢ（Ｕｎｉｖｅｒｓａｌ  Ｓｅｒｉａｌ  Ｂｕｓ）、シリアル接続網、パラレル接続網などで構成される。
【００１４】
外部記憶装置１０５は、画像読み取り装置１０７で読み取った画像データを保存する他に、操作者を認証するための認証情報を操作者毎に保持しており、入力装置１０４から操作者によって入力されたログイン名とパスワードとをそれらの認証情報と照合することによって、操作者が本人であることを確実に認証することができる。また外部記憶装置１０５は、操作者毎に送信者情報を保持している。
【００１５】
図２は、外部記憶装置１０５に保存されている認証情報および送信者情報の一例を示す図である。
【００１６】
外部記憶装置１０５は、認証情報としてログイン名とパスワードとを保持する。操作者は画像送信装置１の操作を行う際、操作者のみが知り得る操作者のログイン名とパスワードとを入力装置１０４より入力し、認証手順により、外部記憶装置１０５内の認証情報との照合が行われ、操作者が操作を許された本人であるかどうかの認証が行われる。
【００１７】
また、外部記憶装置１０５は、送信者情報として名称とメールアドレスとを、認証情報に対応付けて操作者毎に保持する。上記の認証された操作者に対応する送信者情報が外部記憶装置１０５から読み出されて、電子メールの送信時に電子メールに添付されるが、詳しくは図３を参照して後述する。
【００１８】
なお、外部記憶装置１０５における認証情報および送信者情報の登録および編集は、情報の管理権限を持つ操作者によってのみ行われ、各操作者はこの管理権限を持つ操作者に登録や編集を依頼する。
【００１９】
図３は、中央処理装置１０１で実行される認証処理および電子メール送信処理の手順を示すフローチャートである。
【００２０】
ステップＳ３０１で、操作者が入力装置１０４から入力されたログイン名とパスワードとを受け付ける。ステップＳ３０２で、入力されたログイン名とパスワードとが、外部記憶装置１０５に記憶された認証情報（図２に例示）に合致するか否かを判断する。合致していればステップＳ３０３へ進み、合致していないならばステップＳ３０１へ戻る。
【００２１】
ステップＳ３０３では、外部記憶装置１０５に記憶された送信者情報（図２に例示）から、ステップＳ３０３で合致すると判断されたログイン名とパスワードとに対応する送信者情報を取得し、ステップＳ３０４で、この取得された送信者情報のメールアドレスが空文字か否かを判断する。例えば図２に示す送信者情報３では空文字と判断される。空文字と判断された場合ステップＳ３０８に進み、電子メール送信を拒否する旨を操作者に通知するべく表示装置１０３にエラーメッセージを表示する。一方、空文字ではないと判断された場合ステップＳ３０５に進む。
【００２２】
ステップＳ３０５では、外部記憶装置１０５に保存されている画像データの中から操作者が、電子メールで送信すべき画像データを選択する。ステップＳ３０６で、操作者が送信先の電子メールアドレスを入力装置１０４から入力する。ステップＳ３０７では、ステップＳ３０６で入力した電子メールアドレスを送信先として、ステップＳ３０５で選択した画像データを送信する電子メールに対して、ステップＳ３０３で取得しステップＳ３０４で空文字ではないと判断された電子メールアドレスを、送信元を表すＦｒｏｍ欄に設定して電子メール送信を行う。
【００２３】
以上のようにして、第１の実施の形態では、画像送信時に操作者が偽りの送信者情報を設定することを不可能にすることができる。
【００２４】
［第２の実施の形態］
次に第２の実施の形態を説明する。
【００２５】
第２の実施の形態の構成は、基本的に第１の実施の形態の構成と同じである。そのため、第２の実施の形態の説明においては、第１の実施の形態の構成と同一部分には同一の参照符号を付してその説明を省略し、異なる部分だけを説明する。
【００２６】
図４は、第２の実施の形態における画像送信装置及び認証サーバの構成を示すブロック図である。
【００２７】
第２の実施の形態における外部記憶装置１０５ａは、画像読み取り装置１０７で読み取った画像データを保存する。なお、外部記憶装置１０５ａは認証情報や送信者情報の保持を行わない。
【００２８】
第２の実施の形態では、ネットワーク２に認証サーバ３が接続される。認証サーバ３は、中央処理装置３０１、主記憶装置３０２、外部記憶装置３０３、ネットワーク装置３０４からその主要部が構成される。中央処理装置３０１は、主記憶装置３０２、外部記憶装置３０３、ネットワーク装置３０４を制御し、また四則演算、論理演算を受け持っている。主記憶装置３０２は、この認証サーバ３が情報処理を行なう上で必要な情報を記憶し、中央処理装置３０１はこれを必要に応じて取り出すことができる。外部記憶装置３０３は磁気記憶装置や光磁気記憶装置等から構成され、各種情報を記憶するとともに、認証情報と送信者情報とを操作者毎に保持する。
【００２９】
第２の実施の形態では、画像送信装置１の入力装置１０４からログイン名とパスワードとが入力されると、これらのログイン名とパスワードとがネットワーク２を介して認証サーバ３に送信される。そして、認証サーバ３の中央処理装置３０１が、外部記憶装置３０３に記憶された認証情報に基づいて認証を行い、認証された操作者の送信者情報が外部記憶装置３０３から読み出されて、ネットワーク２を介して画像送信装置１へ送信される。
【００３０】
これを受信した画像送信装置１の中央処理装置１０１は、図３のステップＳ３０４〜Ｓ３０８の処理と同一の処理を実行する。
【００３１】
第２の実施の形態では、認証機能が、画像送信装置１ではなく、外部の認証サーバ３において実現される。
【００３２】
［第３の実施の形態］
次に第３の実施の形態を説明する。
【００３３】
第３の実施の形態の構成は、基本的に第１の実施の形態の構成と同じである。そのため、第３の実施の形態の説明においては、第１の実施の形態の構成と同一部分には同一の参照符号を付してその説明を省略し、異なる部分だけを説明する。
【００３４】
図５は、第３の実施の形態における画像送信装置の構成を示すブロック図である。
【００３５】
第３の実施の形態における画像送信装置１ａは、第１の実施の形態における中央処理装置１０１、主記憶装置１０２、表示装置１０３、入力装置１０４、印刷装置１０６、画像読み取り装置１０７、ネットワーク装置１０８と同一構成の各装置を備える他に、外部記憶装置１０５ａおよびＩＣカードリーダ１０９を備える。
【００３６】
外部記憶装置１０５ａは、画像読み取り装置１０７で読み取った画像データを保存するが、認証情報や送信者情報の保持は行わない。
【００３７】
ＩＣカードリーダ１０９は、ＩＣカードを外部から挿入することができる構造となっており、ＩＣカード内に保存されている情報を読み出す装置である。ＩＣカードには、所有者の認証情報と送信者情報とが予め格納されている。ここでの送信者情報は、ＩＣカード所有者の秘密鍵を含む。
【００３８】
画像送信装置１ａでは、入力装置１０４から認証情報が入力されると、中央処理装置１０１が、ＩＣカードリーダ１０９に挿入されたＩＣカード内の認証情報と照合を行って認証を行い、認証された場合には、ＩＣカード内から送信者情報（秘密鍵）を読み出して、デジタル署名を生成してＦＴＰ送信に使用する。
【００３９】
図６は、例えば３枚のＩＣカードにそれぞれ保存されている認証情報と送信者情報とを示す図である。
【００４０】
各ＩＣカードは、認証情報としてログイン名とパスワードとを保持している。また各ＩＣカードは、送信者情報として名称とＩＣカード所有者の秘密鍵とを保持している。
【００４１】
なお、ＩＣカード内の認証情報と送信者情報とは、ＩＣカードを管理する権限を持つ管理者のみが登録、編集を行うことができるようになっており、一般使用者は管理権限を持つ管理者に依頼して認証情報、送信者情報をＩＣカードに登録してもらった上で、そのＩＣカードを受け取る。
【００４２】
図７は、第３の実施の形態における中央処理装置１０１で実行される認証処理およびＦＴＰ送信処理の手順を示すフローチャートである。
【００４３】
ステップＳ７０１で、ＩＣカードリーダ１０９にＩＣカードが挿入されたか否かを判別し、挿入されたならばステップＳ７０２へ進み、挿入されていないならばステップＳ７０１へ戻る。
【００４４】
ステップＳ７０２で、入力装置１０４から入力されたパスワードを受け取る。ステップＳ７０３で、受け取ったパスワードが、ＩＣカードリーダ１０９に挿入されたＩＣカードに保存されているパスワードに合致するか否かを判断する。その結果、合致していると判断されればステップＳ７０４へ進み、合致していないと判断されればステップＳ７０２に戻る。
【００４５】
ステップＳ７０４では、ＩＣカードリーダ１０９に挿入されたＩＣカードに保存されている送信者情報を取得し、ステップＳ７０５で、この取得した送信者情報に秘密鍵が含まれているか否かを判断する。例えば、図６（Ａ）に示すＩＣカードでは送信者情報に秘密鍵が含まれていると判断されるが、図６（Ｃ）に示すＩＣカードでは送信者情報に秘密鍵が含まれていない（未登録である）と判断される。送信者情報に秘密鍵が含まれていない（未登録である）と判断された場合、ステップＳ７１０に進んで、ＦＴＰ送信を拒否する旨を操作者に通知するべく表示装置１０３にエラーメッセージを表示する。一方、送信者情報に秘密鍵が含まれていると判断された場合、ステップＳ７０６に進む。
【００４６】
ステップＳ７０６では、ＦＴＰ送信で送信すべき画像データを、外部記憶装置１０５に保存されている画像データの中から選択する。ステップＳ７０７で、ＩＣカードから秘密鍵を取得し、該秘密鍵とステップＳ７０６で選択した画像データとからデジタル署名を生成する。すなわち、発信者である操作者の秘密鍵を用いて画像データを暗号化する。なお、この暗号化された画像データを受信側で元に戻すには、発信者側の公開鍵を使う。公開鍵で暗号化画像データを正しく復元することができれば、それは正しい発信者から、途中で改ざんされることなく送信された画像データであると言える。
【００４７】
ステップＳ７０８では、操作者が送信先のＦＴＰフォルダ名とＦＴＰユーザ名とＦＴＰパスワードとを入力装置１０４から入力する。ステップＳ７０９で、デジタル署名された画像データを、送信先のＦＴＰフォルダに対してＦＴＰ送信を行い、本処理を終了する。
【００４８】
以上のようにして、第３の実施の形態では、ＩＣカードを用いることにより、認証手順により認証されたＩＣカード所有者の送信者情報を特定できることに加え、送信者情報に含まれる秘密鍵によって暗号化が行われるので、ＩＣカード所有者以外の操作者が送信者情報を偽ることは不可能となる。
【００４９】
［他の実施の形態］
なお、本発明の目的は、前述の各実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００５０】
この場合、記憶媒体から読み出されたプログラムコード自体が前述した各実施の形態の機能を実現することになり、そのプログラムコードを記憶した記憶媒体は本発明を構成することになる。
【００５１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【００５２】
また、コンピュータが読み出したプログラムコードを実行することにより、上記の各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００５３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【００５４】
以上のように、本発明の各種の実施の形態を示して説明したが、以下に本発明の実施態様の例を列挙する。
【００５５】
〔実施態様１〕  操作者に指定された画像データを外部へ送信する画像送信装置において、
予め複数の操作者の認証情報と送信者情報とを記憶装置に操作者ごとに格納する格納手段と、
送信すべき画像データを指定する操作者によって入力された少なくともパスワードを、前記記憶装置に格納された認証情報と照合して前記操作者の認証を行う認証手段と、
前記認証手段によって前記操作者が認証されたとき、前記記憶装置から前記操作者に対応する送信者情報を読み出して、前記操作者によって指定された画像データを、前記送信者情報を用いて電子メールで送信する送信手段と
を有することを特徴とする画像送信装置。
【００５６】
〔実施態様２〕  前記格納手段による処理は、特定の管理権限を持つ管理者によってのみ実行されることを特徴とする実施態様１に記載の画像送信装置。
【００５７】
〔実施態様３〕  前記送信手段は、前記記憶装置から前記操作者に対応する送信者情報を読み出したとき、該送信者情報が前記操作者を特定できる情報でないならば、前記電子メールの送信を拒否することを特徴とする実施態様１に記載の画像送信装置。
【００５８】
〔実施態様４〕  前記記憶装置が前記画像送信装置に含まれることを特徴とする実施態様１に記載の画像送信装置。
【００５９】
〔実施態様５〕  前記記憶装置が、前記画像送信装置にネットワークを介して接続された前記画像送信装置以外の装置に含まれることを特徴とする実施態様１に記載の画像送信装置。
【００６０】
〔実施態様６〕  前記送信者情報はメールアドレスであることを特徴とする実施態様１に記載の画像送信装置。
【００６１】
〔実施態様７〕  前記送信手段は、前記メールアドレスを電子メールの送信元に設定することを特徴とする実施態様１に記載の画像送信装置。
【００６２】
〔実施態様８〕  操作者の認証情報と送信者情報とが格納されたメモリカードを装着可能であり、操作者に指定された画像データを外部へ送信する画像送信装置において、
送信すべき画像データを指定する操作者によって入力された少なくともパスワードを、装着されたメモリカードに格納された認証情報と照合して前記操作者の認証を行う認証手段と、
前記認証手段によって前記操作者が認証されたとき、前記装着されたメモリカードから前記操作者に対応する送信者情報を読み出して、該送信者情報によって前記操作者によって指定された画像データに対して暗号化を行い、ＦＴＰ送信する送信手段と
を有することを特徴とする画像送信装置。
【００６３】
〔実施態様９〕  前記メモリカードに認証情報と送信者情報とを格納する処理は、特定の管理権限を持つ管理者によってのみ実行されることを特徴とする実施態様８に記載の画像送信装置。
【００６４】
〔実施態様１０〕  前記送信手段は、前記装着されたメモリカードから前記操作者に対応する送信者情報を読み出したとき、該送信者情報が前記操作者を特定できる情報でないならば、前記ＦＴＰ送信を拒否することを特徴とする実施態様８に記載の画像送信装置。
【００６５】
〔実施態様１１〕  前記送信者情報は暗号鍵であることを特徴とする実施態様８に記載の画像送信装置。
【００６６】
〔実施態様１２〕  操作者に指定された画像データを外部へ送信する画像送信方法において、
予め複数の操作者の認証情報と送信者情報とを記憶装置に操作者ごとに格納する格納ステップと、
送信すべき画像データを指定する操作者によって入力された少なくともパスワードを、前記記憶装置に格納された認証情報と照合して前記操作者の認証を行う認証ステップと、
前記認証ステップによって前記操作者が認証されたとき、前記記憶装置から前記操作者に対応する送信者情報を読み出して、前記操作者によって指定された画像データを、前記送信者情報を用いて電子メールで送信する送信ステップと
を有することを特徴とする画像送信方法。
【００６７】
〔実施態様１３〕  前記格納ステップによる処理は、特定の管理権限を持つ管理者によってのみ実行されることを特徴とする実施態様１２に記載の画像送信方法。
【００６８】
〔実施態様１４〕  前記送信ステップは、前記記憶装置から前記操作者に対応する送信者情報を読み出したとき、該送信者情報が前記操作者を特定できる情報でないならば、前記電子メールの送信を拒否することを特徴とする実施態様１２に記載の画像送信方法。
【００６９】
〔実施態様１５〕  前記送信者情報はメールアドレスであることを特徴とする実施態様１２に記載の画像送信方法。
【００７０】
〔実施態様１６〕  操作者の認証情報と送信者情報とが格納されたメモリカードを装着可能であり、操作者に指定された画像データを外部へ送信する画像送信装置に適用される画像送信方法において、
送信すべき画像データを指定する操作者によって入力された少なくともパスワードを、装着されたメモリカードに格納された認証情報と照合して前記操作者の認証を行う認証ステップと、
前記認証ステップによって前記操作者が認証されたとき、前記装着されたメモリカードから前記操作者に対応する送信者情報を読み出して、該送信者情報によって前記操作者によって指定された画像データに対して暗号化を行い、ＦＴＰ送信する送信ステップと
を有することを特徴とする画像送信方法。
【００７１】
〔実施態様１７〕  前記メモリカードに認証情報と送信者情報とを格納する処理は、特定の管理権限を持つ管理者によってのみ実行されることを特徴とする実施態様１６に記載の画像送信方法。
【００７２】
〔実施態様１８〕  前記送信ステップは、前記装着されたメモリカードから前記操作者に対応する送信者情報を読み出したとき、該送信者情報が前記操作者を特定できる情報でないならば、前記ＦＴＰ送信を拒否することを特徴とする実施態様１６に記載の画像送信方法。
【００７３】
〔実施態様１９〕  前記送信者情報は暗号鍵であることを特徴とする実施態様１６に記載の画像送信方法。
【００７４】
〔実施態様２０〕  操作者に指定された画像データを外部へ送信する画像送信方法を、コンピュータに実行させるためのプログラムにおいて、
前記画像送信方法が、
予め複数の操作者の認証情報と送信者情報とを記憶装置に操作者ごとに格納する格納ステップと、
送信すべき画像データを指定する操作者によって入力された少なくともパスワードを、前記記憶装置に格納された認証情報と照合して前記操作者の認証を行う認証ステップと、
前記認証ステップによって前記操作者が認証されたとき、前記記憶装置から前記操作者に対応する送信者情報を読み出して、前記操作者によって指定された画像データを、前記送信者情報を用いて電子メールで送信する送信ステップと
を有することを特徴とするプログラム。
【００７５】
〔実施態様２１〕  操作者の認証情報と送信者情報とが格納されたメモリカードを装着可能であり、操作者に指定された画像データを外部へ送信する画像送信装置に適用される画像送信方法を、コンピュータに実行させるためのプログラムにおいて、
前記画像送信方法が、
送信すべき画像データを指定する操作者によって入力された少なくともパスワードを、装着されたメモリカードに格納された認証情報と照合して前記操作者の認証を行う認証ステップと、
前記認証ステップによって前記操作者が認証されたとき、前記装着されたメモリカードから前記操作者に対応する送信者情報を読み出して、該送信者情報によって前記操作者によって指定された画像データに対して暗号化を行い、ＦＴＰ送信する送信ステップと
を有することを特徴とするプログラム。
【００７６】
〔実施態様２２〕  操作者に指定された画像データを外部へ送信する画像送信方法をプログラムとして記憶した、コンピュータにより読み出し可能な記憶媒体において、
前記画像送信方法が、
予め複数の操作者の認証情報と送信者情報とを記憶装置に操作者ごとに格納する格納ステップと、
送信すべき画像データを指定する操作者によって入力された少なくともパスワードを、前記記憶装置に格納された認証情報と照合して前記操作者の認証を行う認証ステップと、
前記認証ステップによって前記操作者が認証されたとき、前記記憶装置から前記操作者に対応する送信者情報を読み出して、前記操作者によって指定された画像データを、前記送信者情報を用いて電子メールで送信する送信ステップと
を有することを特徴とする記憶媒体。
【００７７】
〔実施態様２３〕  操作者の認証情報と送信者情報とが格納されたメモリカードを装着可能であり、操作者に指定された画像データを外部へ送信する画像送信装置に適用される画像送信方法をプログラムとして記憶した、コンピュータにより読み出し可能な記憶媒体において、
前記画像送信方法が、
送信すべき画像データを指定する操作者によって入力された少なくともパスワードを、装着されたメモリカードに格納された認証情報と照合して前記操作者の認証を行う認証ステップと、
前記認証ステップによって前記操作者が認証されたとき、前記装着されたメモリカードから前記操作者に対応する送信者情報を読み出して、該送信者情報によって前記操作者によって指定された画像データに対して暗号化を行い、ＦＴＰ送信する送信ステップと
を有することを特徴とする記憶媒体。
【００７８】
【発明の効果】
以上詳述したように本発明によれば、予め複数の操作者の認証情報と送信者情報とを記憶装置に操作者ごとに格納しておき、送信すべき画像データを指定する操作者によって入力された少なくともパスワードを、前記記憶装置に格納された認証情報と照合して前記操作者の認証を行う。前記操作者が認証されたとき、前記記憶装置から前記操作者に対応する送信者情報を読み出して、前記操作者によって指定された画像データを、前記送信者情報を用いて電子メールで送信する。
【００７９】
また、操作者の認証情報と送信者情報とが格納されたメモリカードを装着可能である画像送信装置において、送信すべき画像データを指定する操作者によって入力された少なくともパスワードを、装着されたメモリカードに格納された認証情報と照合して前記操作者の認証を行う。前記操作者が認証されたとき、前記装着されたメモリカードから前記操作者に対応する送信者情報を読み出して、該送信者情報によって前記操作者によって指定された画像データに対して暗号化を行い、ＦＴＰ送信する。
【００８０】
これにより、画像送信時に操作者が偽りの送信者情報を設定することが不可能となり、送信者情報の信頼性とセキュリティが向上する。すなわち、他人に成りすますまして画像送信を行うことが困難となり、セキュリティが確保される。
【図面の簡単な説明】
【図１】本発明に係る画像送信装置の第１の実施の形態の構成を示すブロック図である。
【図２】外部記憶装置に保存されている認証情報および送信者情報の一例を示す図である。
【図３】中央処理装置で実行される認証処理および電子メール送信処理の手順を示すフローチャートである。
【図４】第２の実施の形態における画像送信装置及び認証サーバの構成を示すブロック図である。
【図５】第３の実施の形態における画像送信装置の構成を示すブロック図である。
【図６】例えば３枚のＩＣカードにそれぞれ保存されている認証情報と送信者情報とを示す図である。
【図７】第３の実施の形態における中央処理装置で実行される認証処理およびＦＴＰ送信処理の手順を示すフローチャートである。
【符号の説明】
１  画像送信装置
１ａ  画像送信装置
２  ネットワーク
３  認証サーバ
１０１  中央処理装置（格納手段、認証手段、送信手段）
１０５ａ  外部記憶装置
１０２  主記憶装置
１０３  表示装置
１０４  入力装置
１０５  外部記憶装置（記憶装置）
１０６  印刷装置
１０７  画像読み取り装置
１０８  ネットワーク装置（送信手段）
１０９  ＩＣカードリーダ
３０１  中央処理装置
３０２  主記憶装置
３０３  外部記憶装置
３０４  ネットワーク装置
【図１】
2004336562.tif 000003
【図２】
2004336562.tif 000004
【図３】
2004336562.tif 000005
【図４】
2004336562.tif 000006
【図５】
2004336562.tif 000007
【図６】
2004336562.tif 000008
【図７】
2004336562.tif 000009